(57)【要約】【課題】重量を重くすることなく、効率的に高反発エリアの拡大を図ったアイアン型のゴルフクラブを提供する。【解決手段】アイアン型のゴルフクラブのフェース部６は、中央位置Ｃからトウ側に最大厚肉部Ｑを有すると共に、最大厚肉部Ｑを中心としてトップ側、ソール側及びトウ側に肉厚が変化する厚肉部８，９，１０を有している。厚肉部８，９，１０の周囲には、厚肉部よりも肉厚が薄い薄肉厚部２０ａ，２０ｂ，２０ｃが連続形成され、トウ側に形成されている厚肉部１０には、ヒール側に向けて薄肉厚部２０ｃが凹状に形成されていることを特徴とする。【選択図】図２
2014188194.tif 000002
【特許請求の範囲】
【請求項１】
打球面を備えたフェース部を具備し、フェース部の裏側にキャビティが形成されたヘッド本体を有するアイアン型ゴルフクラブであって、
前記フェース部は、中央位置からトウ側に最大厚肉部を有すると共に、前記最大厚肉部を中心としてトップ側、ソール側及びトウ側に肉厚が変化する厚肉部を有しており、
前記厚肉部の周囲に亘って、厚肉部よりも肉厚が薄い薄肉厚部を連続形成し、
前記トウ側に形成されている厚肉部には、ヒール側に向けて前記薄肉厚部が凹状に形成されていることを特徴とするアイアン型ゴルフクラブ。
【請求項２】
前記トップ側、及びソール側に形成されている厚肉部は、トウ側からヒール側に移行するに従って幅狭に形成されていることを特徴とする請求項１に記載のアイアン型ゴルフクラブ。
【請求項３】
前記厚肉部の周囲に亘って形成される薄肉厚部の肉厚は、ソール側の薄肉厚部＞トップ側の薄肉厚部＞トウ側の薄肉厚部に形成されていることを特徴とする請求項１又は２に記載のアイアン型ゴルフクラブ。
【請求項４】
前記フェース部の中央位置のトップ・ソール方向における前記厚肉部は、少なくとも１０ｍｍ存在することを特徴とする請求項１から３のいずれか１項に記載のアイアン型のゴルフクラブ。
【請求項５】
前記厚肉部は、前記フェース部のヒール側端部、トウ・トップ間の角部、及びトウ・ソール間の角部の位置で、前記キャビティの周縁部に最も近づくことを特徴とする請求項１から４のいずれか１項に記載のアイアン型のゴルフクラブ。
【請求項６】
前記厚肉部は、前記フェース部のヒール側端部、トウ・トップ間の角部、及びトウ・ソール間の角部の位置で所定幅を有しており、
前記薄肉厚部は、前記所定幅を有する厚肉部の端部からキャビティの周縁部に向けて次第に薄肉厚化されていることを特徴とする請求項１から５のいずれか１項に記載のアイアン型のゴルフクラブ。
【請求項７】
前記厚肉部のトップ側、及びソール側の縁部は、それぞれ前記キャビティのトップ側周縁部、及びソール側周縁部と略平行に形成されていることを特徴とする請求項１から６のいずれか１項に記載のアイアン型のゴルフクラブ。
【請求項８】
前記凹状に形成される薄肉厚部は、ヒール側に向けて湾曲するように形成されていることを特徴とする請求項１から７のいずれか１項に記載のアイアン型ゴルフクラブ。
【発明の詳細な説明】
【技術分野】
【０００１】
本発明は、アイアン型のゴルフクラブに関する。
【背景技術】
【０００２】
通常、アイアン型のゴルフクラブのヘッドは、打球がなされるフェース部をヘッド本体と共に一体形成したり、ヘッド本体とは別体のフェース部（フェース部材）をヘッド本体に対して接着、溶着、カシメなどによって一体化することが知られている。また、前記フェース部の肉厚を薄くして打球時の撓みを利用し、反発係数を向上させて飛距離の向上を図ることも知られている。
【０００３】
しかしながら、その肉厚は概ね均一に薄くしていることが多く、その結果、フェース部中央位置（フェース部におけるトウ・ヒール方向の最大幅部分の中間点）の反発係数が最も高く、周囲に移行するに連れて急激に反発係数が落ちてしまうことにより、中央位置での打球とオフセンター位置での打球の初速差が大きくなって、飛距離のばらつきが増えてしまう。特に、アイアンヘッドでは、ヒール側にホーゼル部が存在し、かつ低重心化を図ることから、一般的にスイートスポット（重心位置からフェース面に対して垂線を引いたときの交点）は、前記フェース部の中央位置よりも、ヒール側かつソール側に位置している。このため、ゴルファーが最も意識して打球しようとする中央位置と、最も効率良く打球して飛距離が出る位置（スイートスポット位置）にずれが生じており、中央位置で打球した際、飛距離のばらつきを感じることとなる。
【０００４】
そこで、特許文献１には、フェース部の中央位置に最大厚肉部を形成するとともに、ここからトップ側、及びソール側に肉厚変化部（テーパ）を形成し、トップ側肉厚変化部とソール側肉厚変化部に挟まれる薄肉厚領域の広がり角度について、トウ側の広がり角度θ１をヒール側の広がり角度θ２よりも大きくしたアイアン型のゴルフクラブが提案されている。
【０００５】
上記した構成によれば、フェース部の中央位置に最大厚肉部を形成したことで、フェース部の中央位置における撓みが抑制され、かつ、トウ側の薄肉厚領域をヒール側の薄肉厚領域に比較して広い範囲にしたことで、フェース部の最大撓み位置を、中央位置からヒール側に移動させることが可能となる。すなわち、フェース部の最大撓み位置がスイートスポット位置に近づくことで打球効率の向上が図れるようになり、かつ、薄肉厚領域を効果的に設けることで、撓み量域を確保しつつ重心がトウ側にシフトすることのないフェース構造が得られる。
【先行技術文献】
【特許文献】
【０００６】
【特許文献１】特開２０１２−１１５３９３号
【発明の概要】
【発明が解決しようとする課題】
【０００７】
通常、フェース部に厚肉部を形成するとその部分が撓み難くなるため、フェース部の中央位置を最も厚肉化しておくことで中央位置の撓みが抑制され、これにより、中央位置と同じような高反発となる領域を拡大することが可能となる。
【０００８】
しかし、アイアン型のゴルフクラブの形状は、ヒール側の上下方向（トップ・ソール方向）の幅よりも、トウ側の上下方向の幅が広くなっており、フェース部全体を見ると、トウ側の面積がヒール側の面積よりも広くなっている。このため、相対的にトウ側の方が撓み易い形状となっており、必ずしもフェース部の中央位置が最も撓み易い位置になってはいない。
【０００９】
すなわち、上記した従来の構造では、高反発エリアの拡大は図れるものの、効率的に高反発エリアを拡大するためには改良の余地がある。また、フェース部に厚肉部を形成したり、肉厚変化部を形成することによって高反発エリアを拡大することはできるものの、これによりヘッドの重量が重くなることは好ましくはない。さらに、厚肉部の領域を多くすると、打感（打球音や振動等）に影響を及ぼしてしまう。
【００１０】
本発明は、上記した問題に基づいてなされたものであり、重量を重くすることなく、効率的に高反発エリアの拡大を図ったアイアン型のゴルフクラブを提供することを目的とする。
【課題を解決するための手段】
【００１１】
上記した目的を達成するために、本発明は、打球面を備えたフェース部を具備し、フェース部の裏側にキャビティが形成されたヘッド本体を有するアイアン型ゴルフクラブであって、前記フェース部は、中央位置からトウ側に最大厚肉部を有すると共に、前記最大厚肉部を中心としてトップ側、ソール側及びトウ側に肉厚が変化する厚肉部を有しており、前記厚肉部の周囲に亘って、厚肉部よりも肉厚が薄い薄肉厚部を連続形成し、前記トウ側に形成されている厚肉部には、ヒール側に向けて前記薄肉厚部が凹状に形成されていることを特徴とする。
【００１２】
上記した構成のアイアン型ゴルフクラブでは、フェース部の中央位置からトウ側に最大厚肉部を設けたことで、フェース部の撓み易い領域の撓みを抑制している。すなわち、アイアン型のゴルフクラブのフェース部の形状は、ヒール側の上下方向の幅よりもトウ側の上下方向の幅が広く（トウ側の領域がヒール側の領域よりも広い）、フェース部の中央位置よりもトウ側の方が相対的に撓み易くなっているため、最大厚肉部を中央位置よりもトウ側に設けることで撓み易い部分における撓みが抑制され、高反発エリアを効率的に拡大することが可能となる。また、最大厚肉部を中心としてトップ側、ソール側及びトウ側に肉厚が変化する厚肉部を形成し、その厚肉部の周囲に亘って、厚肉部よりも肉厚が薄い薄肉厚部を連続形成したことで、フェース部全体として撓み性の向上が図れ、しかもトウ側に形成されている厚肉部に対し、前記薄肉厚部をヒール側に向けて凹状に形成したことで、重量を増加させることなく、効率的に高反発エリアを拡大することが可能となる。
【００１３】
上記した構成では、フェース部の表面（打球面側）は平坦とされるため、そのような最大厚肉部、厚肉部、及び薄肉肉厚部は、フェース部の裏面側において現れるようになる。この場合、最大厚肉部を中心としてトップ側およびソール側には、トップ側およびソール側へ向けて薄肉厚化する厚肉部が形成され、かつ、フェース部のトウ側には、最大厚肉部からトウ側に移行するに従い薄肉厚化する厚肉部が形成される。そして、そのような厚肉部は、その周囲に亘って形成される薄肉厚部に囲まれた状態となり、かつ、トウ側の厚肉部には、ヒール側に凹状に窪む薄肉厚部が形成される。
【００１４】
なお、上記した構成において、前記最大厚肉部は、フェース部の形成材料によって異なるが、撓み易い部分の撓みが効果的に抑制されるように、肉厚が２．０ｍｍ〜４．０ｍｍの範囲で特定され、前記厚肉部については、上記した範囲内で特定される最大厚肉部に対して、肉厚変化が０．２ｍｍ〜２．３ｍｍの範囲で特定される。また、厚肉部の周囲に連続形成される前記薄肉厚部は、前記厚肉部よりも肉厚が薄くなっており、その肉厚が０．７ｍｍ〜２．０ｍｍの範囲で特定される。この場合、厚肉部の周囲に存在する薄肉厚部については、上記した範囲内において、均一な肉厚に形成されていても良いし、周囲に向けて次第に薄肉厚化する等、テーパ状に形成されていても良い。
【発明の効果】
【００１５】
本発明によれば、フェース部の重量を重くすることなく、効率的に高反発エリアを拡大したアイアン型のゴルフクラブが得られる。
【図面の簡単な説明】
【００１６】
【図１】本発明に係るアイアン型のゴルフクラブの第１の実施形態を示しており、ヘッド部分の正面図。
【図２】図１に示すヘッド部分の背面図。
【図３】図２のＡ−Ａ線に沿った断面図。
【図４】（ａ）〜（ｄ）を含み、それぞれフェース部とヘッド本体との取着態様の例を示す断面図。
【図５】本発明に係るアイアン型のゴルフクラブの第２の実施形態を示しており、ヘッド部分の背面図。
【発明を実施するための形態】
【００１７】
以下、添付図面を参照して本発明に係るアイアン型のゴルフクラブの実施形態について説明する。  
図１から図３は、本発明に係るアイアン型のゴルフクラブの第１の実施形態を示しており、図１はヘッド部分の正面図、図２は図１に示すヘッド部分の背面図、そして、図３は図２のＡ−Ａ線に沿った断面図である。
【００１８】
本実施形態に係るゴルフクラブ１は、シャフト３とヘッド本体（アイアンヘッド）５を備えており、シャフト３の先端にヘッド本体５を止着して構成されている。前記シャフト３とヘッド本体５は、ゴルフクラブ１を基準水平面Ｐに対して構えた際、シャフト３の軸線Ｘと基準水平面Ｐとの間が所定のライ角αとなるように設定されている。
【００１９】
前記ヘッド本体５は、シャフト３を挿入して先端領域を止着するホーゼル５ａと、打球が成されるフェース面６Ｆを具備した板状のフェース部６とを有する。この場合、本実施形態のフェース部６は、ヘッド本体５とは別体として形成されており、リング状に形成されたヘッド本体５の開口５ｂに形成された段部（フェース支持部）５ｃに対して、所定のロフト角βとなるように、カシメ、溶着、接着などによって止着されている。なお、前記ヘッド本体５およびフェース部６は、例えば、チタン、チタン合金、ステンレス鋼、炭素鋼、タングステン、タングステン合金等の金属材料を用いて鋳造などによって一体形成されている。
【００２０】
前記リング状に形成されたヘッド本体５は、トップ部５ｄ、ソール部５ｅ、トウ部５ｆ及びヒール部５ｇを具備しており、これらは開口５ｂに沿ってその内周に形成される段部５ｃに止着されるフェース部の周縁に沿って後方に向けて延設されている。これにより、ヘッド本体５は、フェース部６の後側が開口した構造、いわゆるキャビティ構造となっている。この場合、前記トップ部５ｄは、バック側に延びてその先端側が下方に垂下するように屈曲され、前記ソール部５ｅは、バック側に延びながら上方に立ち上げられ、前記トウ部５ｆ及びヒール部５ｇは、バック側に延びると共にその先端側が中央に向けて屈曲されている。
【００２１】
なお、ソール部５ｅについては、低重心化が図れるように、ヘッド本体５の構成材料よりも高比重の材料によって形成しても良いし、別途、ウエイト部材を取着したものであっても良い。また、前記トップ部５ｄ、ソール部５ｅ、前記トウ部５ｆ及びヒール部５ｇについては、上記のように、フェース部周縁に沿って後方に延設されてその端部が中央側に向けて屈曲されているが、この屈曲状態については適宜変形することが可能である。例えば、図３に示すように、ソール部５ｅにおける中央部分の屈曲高さＨを最も低く形成しておき、トウ側及びヒール側に移行するに連れて、その高さＨを次第に高くなるように形成しても良い。また、このような屈曲部によって、後述する厚肉部の一部が後方から見て覆われる状態になっていても良い。
【００２２】
前記フェース部６については、ヘッド本体と共に一体形成しても良いが、別体として形成する場合、その形状やヘッド本体に対する取着方法については、適宜変形することが可能である。例えば、図４（ａ）に示すように、ヘッドのソール部５ｅに前方側に向けて突出するフランジ５ｈを形成しておき、この部分に板状のフェース部６を当て付けるようにしても良く、さらに、フェース部６に、当て付け部に沿って溝部６ｇを形成しても良い。また、例えば、図４（ｂ）に示すように、フェース部６のソール側の縁部にフランジ６ｈを形成しておき、このフランジ６ｈをヘッドのソール部５ｅに形成されたフランジ５ｈに当て付けても良い。或いは、図４（ｃ）に示すように、フェース部６のフランジ６ｈ部分に段部６ｉを形成しておき、より薄肉厚化した状態でソール部に取着しても良い。また、例えば、図４（ｄ）に示すように、板状のフェース部６を当て付けるとともに、ヘッドのソール部５ｅのフランジ５ｈに溝部５ｇを形成しても良い。
【００２３】
このように、ヘッド本体に対するフェース部の取着方法については、適宜変形することが可能であり、上記したように、フェース部とヘッド本体の取着領域に溝部やフランジを形成することによって、フェース部の撓み性を向上することが可能となる。なお、図４に示す構成では、ヘッド本体のソール部におけるフェース部の取着態様を図示しているが、トップ部、トウ部、ヒール部についても同様に構成することが可能である。
【００２４】
前記ヘッド本体５およびフェース部６は、正面から見て、ヒール側からトウ側に移行するに従い、トップ・ソール方向（上下方向）の幅が大きくなる形状を有しており、同様の形状を有するフェース部６には、トウ・ヒール方向に沿ってスコアライン６Ｌが複数本形成されている。
【００２５】
上記したように止着されるフェース部６は、その周囲が段部５ｃに対して当て付いた状態で支持されており、その後方側がキャビティ構造となっているため、バック側に撓むことが可能となっている。この場合、フェース部６は、図２，図３で示すように、段部５ｃによって支持されていることから、支持端縁（キャビティの周縁部）Ｅで囲まれる中央領域が最も撓み量が大きくなる位置となるが、最も撓み量が大きくなる位置は、フェース部の中央位置（所定のライ角αで設定した状態で基準水平面Ｐと平行で、トウ・ヒール方向で最も支持状態の幅が広くなるラインＬ１の中間点）Ｃとは厳密に一致しない。すなわち、アイアン型のゴルフクラブのヘッド形状は、ヒール側の上下方向（トップ・ソール方向）の幅よりも、トウ側の上下方向の幅が広くなっており、フェース部全体を見ると、トウ側の面積がヒール側の面積よりも広くなっているため、相対的にトウ側の方が撓み易い形状となっている。なお、図１，２で示すようなフェース部の形状によれば、最も撓み易い位置は、中央位置Ｃよりもトウ側で、かつ、トップ側となっている。
【００２６】
また、このヘッドのスイートスポットＳは、ヘッド本体５の重心位置に依存しており、通常、ヘッド本体５は、図１に示すように、ヒール側にホーゼルを形成するなど、ヒール側に重量偏倚しているため、上記のように特定されるフェース部の中央位置Ｃに対して、ヒール側に存在する。この場合、低重心化を図るためにソール部５ｅにウエイトを配置したり重量化すると、スイートスポットＳは、図１及び図２で示す位置よりもソール側にシフトする。
【００２７】
上記した構成のフェース部６の裏面には、中央位置Ｃからトウ側に最大厚肉部Ｑが設けられており、本実施形態の形状のフェース部６では、中央位置Ｃに対して、トウ側かつトップ側となる位置に最大厚肉部Ｑが設けられている。すなわち、上記したように、アイアン型のゴルフクラブのフェース部の形状は、ヒール側の上下方向の幅よりもトウ側の上下方向の幅が広く、フェース部６の中央位置Ｃよりもトウ側の方が相対的に撓み易くなっていることから、最大厚肉部Ｑを中央位置Ｃよりもトウ側、かつトップ側に設けることによって、最も撓み易い部分における撓みを抑制し、高反発エリアを効率的に拡大している。なお、最大厚肉部Ｑは、点状に形成されていても良いし、湾曲状に形成されたものであっても良い。或いは、所定の範囲を平坦面として形成されたものであっても良い。
【００２８】
上記したように形成される最大厚肉部Ｑを中心としてトップ側、ソール側及びトウ側には、肉厚が変化する（テーパ状に薄肉厚化する）厚肉部８，９，１０が形成されており、その厚肉部の周囲には、各厚肉部８，９，１０よりも肉厚が薄い薄肉厚部２０ａ，２０ｂ，２０ｃが連続して形成されている。この薄肉厚部２０ａ〜２０ｃは、各厚肉部８，９，１０よりも薄肉厚で厚肉部を囲むように形成されていれば良く（厚肉部の一部がキャビティの周縁部Ｅに繋がっていても良い）、その境界部分には、肉厚変化に伴う稜線Ｒ１，Ｒ２，Ｒ３が生じている。
【００２９】
この場合、本実施形態の各厚肉部８，９，１０は、図２で示すように、キャビティの周縁部Ｅに対して、フェース部のヒール側端部Ｐ１、トウ・トップ間の角部Ｐ２、及びトウ・ソール間の角部Ｐ３の位置で、前記キャビティの周縁部Ｅに最も近づくように形成されている。
【００３０】
そして、上記したように形成されるトウ側の厚肉部１０には、薄肉厚部２０ｃがヒール側に凹状に窪むように形成されている。すなわち、前記トウ側の厚肉部１０は、トウ・トップ間の角部Ｐ２、及びトウ・ソール間の角部Ｐ３を結ぶ線分よりもヒール側に窪んでおり、これにより、薄肉厚部２０ｃが入り込んで厚肉部１０の領域が少なくなるように形成されている。なお、本実施形態では、トウ側の厚肉部１０に入り込んで形成される薄肉厚部２０ｃは、ヒール側に向けて湾曲（稜線Ｒ３が湾曲）するように形成されている。
【００３１】
上記したような最大厚肉部Ｑを中心として厚肉部８，９，１０を形成し、かつ、その厚肉部８，９，１０の周囲に亘って、厚肉部よりも肉厚が薄い薄肉厚部２０ａ〜２０ｃを連続形成したことで、高反発エリアを効率的に拡大することができ、これにより飛距離のばらつきを抑制しつつ、フェース部全体として撓み性の向上を図り、飛距離を向上することが可能となる。また、トウ側に形成されている厚肉部１０に対し、薄肉厚部２０ｃをヒール側に向けて凹状に形成したことにより、重量を増加させることなく、効率的に高反発エリアを拡大することが可能となる。すなわち、凹状に窪ませた領域は、本来、打球をしない位置であることから、この部分における厚肉領域をできるだけ減らすことによって軽量化を図るとともに反発性を高めることが可能となり、さらに、トウ側が重量化しないことから、スイングし易いゴルフクラブが得られる。
【００３２】
なお、上記したように、スイートスポットＳは、中央位置Ｃよりもヒール側に存在しているが、高反発エリアが拡大したことによって、スイートスポットＳで打球した場合においても高反発状態が維持され、これにより飛距離のばらつきが生じることもない。すなわち、スイートスポットＳで打球した際の反発性が向上すると共に、効率良く初速増加を図ることができ、本来、そのアイアンが有している飛距離性能を十分に発揮することが可能となる。
【００３３】
また、上記したように、ヒール側に凹状に窪ませた薄肉厚部２０ｃについては、湾曲状に形成したことで、薄肉厚部２０ｃを限界まで薄くしても、応力集中を防止することが可能となる。この場合、厚肉部１０の面積については、窪んだ部分における薄肉厚部２０ｃの面積よりも小さくすることが好ましく、これにより、反発性をより向上することが可能となる。
【００３４】
また、本実施形態では、前記トップ側、及びソール側に形成されている厚肉部８，９については、ともにトウ側からヒール側に移行するに従って幅狭となるように形成されている。すなわち、フェース部６は、上下方向の幅を考慮すると、ヒール側が撓み難い形状となっているため、厚肉部８，９を、ともにトウ側からヒール側に移行するに従って幅狭となるように形成することで、バランスよく高反発エリアを拡大することが可能となる。また、厚肉部８，９がフェース形状に合せた形状となるため、効率的に打球時の振動を抑えることができ、打球音を静かにすることが可能となる。
【００３５】
また、上記した構成では、各厚肉部８，９，１０を、ヒール側端部Ｐ１、トウ・トップ間の角部Ｐ２、及びトウ・ソール間の角部Ｐ３の位置で、前記キャビティの周縁部Ｅに最も近づくように形成しているため、効率的に薄肉厚部２０ａ〜２０ｃを補強しつつ、周縁部Ｅに接触させないことで薄肉厚部の反発性を低下させないようにしている。さらに、このような厚肉部８，９，１０の形状により、打球時における振動を効果的に抑制して打球音を静かにすることが可能となる。
【００３６】
上記した構成において、最大厚肉部Ｑについては、フェース部６の形成材料によって異なるが、撓みを抑制するように、肉厚は２．０ｍｍ〜４．０ｍｍの範囲で特定される。また、厚肉部８，９，１０については、上記した範囲内で特定される最大厚肉部Ｑに対して、肉厚変化が０．２ｍｍ〜２．３ｍｍの範囲で特定される。さらに、厚肉部８，９，１０の周囲に連続形成される薄肉厚部２０ａ〜２０ｃについては、厚肉部８，９，１０よりも肉厚が薄くなっており、その肉厚が０．７ｍｍ〜２．０ｍｍの範囲で特定される。この場合、各薄肉厚部については、上記した範囲内において、均一な肉厚に形成されていても良いし、周囲に向けて次第に薄肉厚化する等、テーパ状に形成されていても良い。
【００３７】
また、各薄肉厚部の肉厚については、ソール側の薄肉厚部２０ｂ＞トップ側の薄肉厚部２０ａ＞トウ側の薄肉厚部２０ｃにするのが好ましく、これにより、低重心化が図れるとともに、最も効率よく反発領域を拡大することが可能となる。また、このような肉厚関係にすることで、反発領域の拡大に加え強度バランスも良くなる。
【００３８】
また、フェース部６の中央位置Ｃにおけるトップ・ソール方向の厚肉部８，９に関しては、その上下幅Ｗ１が少なくとも１０ｍｍ存在するように形成することが好ましい。  
これは、最も打球がされる部分となる中央位置Ｃにおいて、打球時にボールが潰れて高圧力で接触する範囲は、トップ・ソール方向において１０ｍｍ程度となることから、この部分における上下幅を１０ｍｍ確保しておくことにより、効率的に振動を抑えることが可能となる。この場合、厚肉部の上下幅を多く確保することで振動が効率的に抑制されることから、中央位置Ｃを通る上下方向の幅（フェース部の上下の端縁間の幅）に対し、３０％以上、好ましくは５０％以上確保しておくのが良い。
【００３９】
また、上記した構成において、厚肉部８のトップ側の縁部（稜線Ｒ１）、及び厚肉部９のソール側の縁部（稜線Ｒ２）は、図２に示すように、それぞれ、キャビティのトップ側周縁部、及びソール側周縁部と略平行に形成されていることが好ましい。  
厚肉部８，９をこのように形成することで、フェース形状に沿って厚肉部がバランスよく形成されることとなり、これにより、高反発エリアを効率的に拡大することが可能となる。なお、ここでの略平行とは、その方向性が同じであり、極端に方向にずれが生じていなければよい。
【００４０】
また、トップ側の薄肉厚部２０ａの幅、及びソール側の薄肉厚部２０ｂの上下方向の幅については、トウ・ヒール方向に亘って略均一に形成されていることが好ましい。  
このような薄肉厚部とすることで、打球位置の相違による反発ムラを無くし、飛距離のばらつきを抑制することが可能となる。
【００４１】
本実施形態における厚肉部８，９，１０は、最大厚肉部Ｑを中心にして、トップ側、ソール側、及びトップ側に、端縁Ｅに向けて次第に薄肉厚化するように形成されていることから、それぞれの厚肉部８，９，１０の相互の隣接領域には、境界が生じるようになる。このような境界は、図２に示すように、稜線Ｒ４，Ｒ５，Ｒ６として視認できるようになっていても良いし、曲面によって境界が形成されていても良い。また、このような境界については、図２の稜線Ｒ４，Ｒ５，Ｒ６のように、直線状になっていても良いし、湾曲した境界であっても良い。
【００４２】
次に、図５を参照して、本発明の第２の実施形態について説明する。  
図５は、ヘッド部分の背面図を示す図である。なお、以下の実施形態では、第１の実施形態と異なる部分について説明することとし、同一の構成部分については、同一の参照符号を付し、詳細な説明については省略する。
【００４３】
本実施形態のフェース部６に形成される厚肉部８´，９´，１０´は、フェース部のヒール側端部Ｐ１、トウ・トップ間の角部Ｐ２、及びトウ・ソール間の角部Ｐ３の位置で所定幅を有するように形成されており、この位置に対応する薄肉厚部は、所定幅を有する厚肉部の端部からキャビティの周縁部Ｅに向けて次第に薄肉厚化するように形成されている（図５では、そのように薄肉厚化される部分を符号２１，２２，２３で示してある）。
【００４４】
このように形成することで、厚肉部から周縁部Ｅに移行する部分に段差が生じることがなくなり、応力集中を避けることができ、さらに、打球時の振動を軽減することが可能となる。
【００４５】
また、上記した構成において、トウ側の厚肉部１０´に窪むように形成される薄肉厚部２０ｃは、その稜線Ｒ３が、稜線Ｒ５，Ｒ６と平行となるように直線形状に形成されており、これにより、ヒール側に窪む薄肉厚領域２０ｃをできるだけ多く確保している。  
このように、薄肉厚領域２０ｃを多く確保することで、撓み性の向上が図れるとともに、軽量化を図ることが可能となる。
【００４６】
また、本実施形態では、トップ側の薄肉厚部２０ａを、トウ側からヒール側に移行するに従い上下幅が次第に広くなるように形成している。  
薄肉厚部２０ａをこのように形成することで、撓み難いヒール側を撓み易くすることができ、全体として撓みバランスを向上して高反発エリアを拡大することが可能となる。もちろん、ソール側の薄肉厚部２０ｂも同様にトウ側からヒール側に移行するに従い上下幅が次第に広くなるように形成しても良い。
【００４７】
また、本実施形態のフェース部６には、ソール側のキャビティの周縁部Ｅに沿って溝部６ｇが形成されている。  
このように、キャビティの周縁部Ｅに沿うように溝部を形成することで、フェース部の撓み性を向上することが可能となる。
【００４８】
以上、本発明に係るゴルフクラブの実施形態について説明したが、本発明は、上記した実施形態に限定されることは無く、種々、変形することが可能である。  
例えば、ヘッド本体の形状において、ヒール側に対しトウ側が幅広になる度合いについては、図に示した形状に限定されることはない。すなわち、トウ側がヒール側に比べて僅かに幅広になっているような形状であっても良く、このようなフェース形状では、最大厚肉部Ｑは、フェース部の中央位置Ｃに対してトウ側にシフトさせれば良い。また、各厚肉部８，９，１０は、直線状に肉厚変化していても良いし、湾曲状に肉厚変化するものであっても良い。
【符号の説明】
【００４９】
１  ゴルフクラブ
３  シャフト
５  ヘッド本体
６  フェース部
８，９，１０  厚肉部
２０ａ，２０ｂ，２０ｃ  薄肉厚部
Ｃ  フェースの中央位置
Ｅ  キャビティの周縁部
Ｑ  最大厚肉部
Ｐ  基準水平面
Ｓ  スイートスポット
【図１】
2014188194.tif 000003
【図２】
2014188194.tif 000004
【図３】
2014188194.tif 000005
【図４】
2014188194.tif 000006
【図５】
2014188194.tif 000007